(57)【要約】【課題】  網戸が枠体から完全に外れた場合でも、網戸の落下を防止することができるとともに、網戸の取り付け、取り外しを容易に行うことができる開口部装置を提供する。【解決手段】  上枠１、下枠２および左右の縦枠３、３からなる枠体４に、網戸枠１４とこの網戸枠１４内に設けられた網１５とを備えている網戸５が水平移動自在に設けられ、枠体４の上枠１に、長手方向に延びる開口部５６を備えている落下防止レール５１が上枠１に沿って設けられ、網戸枠１４の上部に、係合部材５２が設けられ、この係合部材５２は、落下防止レール５１の開口部５６に水平移動自在に挿入されているとともに、網戸５が枠体４から外れた際に落下防止レール５１に係合される係合部６１を備えている。【選択図】      図９
2005213901.tif 000002
【特許請求の範囲】
【請求項１】
上枠、下枠および左右の縦枠からなる枠体に、網戸枠とこの網戸枠内に設けられた網とを備えている網戸が水平移動自在に設けられ、
前記枠体の前記上枠に、長手方向に延びる開口部を備えている落下防止レールが該上枠に沿って設けられ、
前記網戸枠の上部に、係合部材が設けられ、この係合部材は、前記落下防止レールの前記開口部に水平移動自在に挿入されているとともに、前記網戸が前記枠体から外れた際に前記落下防止レールに係合される係合部を備えていることを特徴とする開口部装置。
【請求項２】
前記落下防止レールの前記開口部は下方に開口され、この開口部に切欠部が設けられ、前記係合部材の前記係合部は、前記開口部に挿入される本体部と、前記切欠部を通して前記開口部を通過可能な上部の拡大部とを備えていることを特徴とする請求項１に記載の開口部装置。
【発明の詳細な説明】
【技術分野】
【０００１】
本発明は、網戸を備えた開口部装置に関する。
【背景技術】
【０００２】
図１０に示すように、引き違いサッシ（開口部装置）には、網戸の外れ止めが設けられている。すなわち、枠体７１の上枠７２のレール７３に、網戸７５の上桟７６の溝部７７が嵌め込まれており、上桟７６にねじ７８により取り付けられた外れ止め７９の先端部７９ａをレール７２に接近させることにより、網戸７５が上下移動できる距離を短く制限し、これにより網戸７５が枠体７１から外れないように調整できるようになっている。
【０００３】
この外れ止め７９が設けられた網戸７５は、通常の状態では枠体７１から外れることはない。しかし、この外れ止め７９が外されている場合、図１１に示すように、網戸７５が持ち上がり枠体７１から外れることもあり得る。また、極度の暴風雨、地震あるいは不注意等により網戸７５に限度以上の荷重が作用した場合などに、図１２に示すように、網戸７５が撓んで枠体７１から外れることもあり得る。引き違いサッシが２階以上の階に設置されている場合には、外れた網戸７５が落下し、通行人などに被害をもたらす虞もある。
【０００４】
このため、従来から、網戸が枠体から完全に外れても、網戸の落下を防止することができる開口部装置が提案されている。例えば、枠体の下枠の室外側に、下枠から室外側に張り出し、さらに上方に立ち上がった落下防止材を固定し、この落下防止材で網戸が下枠のレールから外れたときに網戸を受け止めるものが知られている（例えば、特許文献１参照）。
また、枠体の上枠と網戸の上桟とを、スプリングワイヤで接続するものが知られている（例えば、特許文献２参照）。
【０００５】
【特許文献１】特開平９−２５７７３号公報
【特許文献２】特開２００１−１１５７６０号公報
【発明の開示】
【発明が解決しようとする課題】
【０００６】
しかしながら、前者の開口部装置では、網戸が下枠から大きく外れた場合には、網戸の落下を防止することができない。
一方、後者の開口部装置では、網戸の開閉時にスプリングワイヤが引っ掛かる心配があり、また網戸の取り付け、取り外しをするときに、スプリングワイヤの取付金具の取り付け、取り外しが必要となり煩雑である。
【０００７】
本発明は、前記事情に鑑みて為されたもので、網戸が枠体から完全に外れた場合でも、網戸の落下を防止することができるとともに、網戸の取り付け、取り外しを容易に行うことができる開口部装置を提供することを目的とする。
【課題を解決するための手段】
【０００８】
前記目的を達成するために、請求項１に記載の開口部装置は、上枠、下枠および左右の縦枠からなる枠体に、網戸枠とこの網戸枠内に設けられた網とを備えている網戸が水平移動自在に設けられ、前記枠体の前記上枠に、長手方向に延びる開口部を備えている落下防止レールが該上枠に沿って設けられ、前記網戸枠の上部に、係合部材が設けられ、この係合部材は、前記落下防止レールの前記開口部に水平移動自在に挿入されているとともに、前記網戸が前記枠体から外れた際に前記落下防止レールに係合される係合部を備えていることを特徴とする。
落下防止レールは、上枠に一体に形成されていてもよいし、別の部材として設けられていてもよい。また、係合部材は、網戸枠を構成する上桟または縦桟に設けることができる。
【０００９】
請求項２に記載の開口部装置は、請求項１に記載の発明において、前記落下防止レールの前記開口部は下方に開口され、この開口部に切欠部が設けられ、前記係合部材の前記係合部は、前記開口部に挿入される本体部と、前記切欠部を通して前記開口部を通過可能な上部の拡大部とを備えていることを特徴とする。
【発明の効果】
【００１０】
請求項１に記載の開口部装置によれば、網戸が枠体から完全に外れた場合でも、係合部材の係合部が落下防止レールに係合するので、網戸の落下を防止することができる。また、係合部材の係合部を落下防止レールの開口部に挿入しているので、ねじなどを着脱することなく、網戸を容易に取り付け、取り外すことができる。
【００１１】
請求項２に記載の開口部装置によれば、係合部材の係合部の拡大部を落下防止レールの開口部の切欠部を通すことにより、係合部材を開口部に挿入および抜き出すことができるので、網戸の取り付け、取り外すことをさらに容易に行うことができる。
【発明を実施するための最良の形態】
【００１２】
以下、本発明の実施の形態を図面に基づいて説明する。
図１および図２は、本発明の実施の形態に係る引き違いサッシ（開口部装置）を示す縦断面図および横断面図である。
この引き違いサッシは、上枠１、下枠２および左右の縦枠３、３からなる方形状の枠体４と、この枠体４に水平移動自在に設けられた網戸５、外障子（障子）６および内障子（障子）７とを備えている。網戸５は、上桟１１、下桟１２および左右の縦桟１３、１３とからなる方形状の網戸枠１４と、この網戸枠１４内に設けられた網１５とを備えている。外障子６は、上框２１、下框２２および左右の縦框２３、２４からなる方形状の框２５と、框２５内に組み込まれたガラス等のパネル体２６とを備えている。内障子７は、上框３１、下框３２および左右の縦框３３、３４からなる方形状の框３５と、框３５内に組み込まれたガラス等のパネル体３６とを備えている。
【００１３】
これらの網戸５、外障子６および内障子７は、枠体４の内側に屋外側から屋内側にこの順に配置されて、上枠１に形成された上レール４１、４２、４３、および下枠２に形成された下レール４５、４６、４７によって水平移動自在に支持されている。網戸５についてさらに詳しく説明すると、網戸５は、上桟１１の溝部１６が上枠１の上レール４１の下端部に嵌め込まれるとともに、下桟１２に回転自在に固定された戸車１７が下枠２の下レール４５に載せられている。
枠体４の上枠１、下枠２および左右の縦枠３、３と、網戸５の上桟１１、下桟１２および左右の縦桟１３、１３と、外障子６の上框２１、下框２２および左右の縦框２３、２４と、内障子７の上框３１、下框３２および左右の縦框３３、３４とはそれぞれ、例えば中空構造を有するアルミニウム合金製の押出形材からなる。
【００１４】
この引き違いサッシには、網戸の落下防止装置が設置されている。
この落下防止装置Ｒは、枠体４の上枠１に取り付けられた落下防止レール５１と、網戸５の両縦桟１３、１３の上端部にそれぞれ取り付けられた係合部材５２、５２とを備えている。
図３ないし図５に示すように、落下防止レール５１は、上部の取付部５３と、下部の四角筒状のレール部５４とを備えており、例えばアルミニウム合金製の押出形材からなる。この落下防止レール５１は、上枠１の室外側にこの上枠１に沿って上枠１の全長に渡って延びており、取付部５３がねじ５５により上枠１に固定されている。レール部５４の下壁の幅方向中央部には、レール部５４に沿って直線状に延びる開口部５６が形成されている。この開口部５６には、その幅が広くされた切欠部５７が２箇所形成されている。これらの切欠部５７、５７は、落下防止レール５１の両端部からそれぞれ内側に、落下防止レール５１の全長（したがって上枠１の全長）の略１／４の位置に形成されている。レール部５４の両端部にはそれぞれ、各側端開口を塞ぐ板状の蓋５８がねじ５９により取り付けられている。
【００１５】
図６ないし図８に示すように、各係合部材５２は、板状の部材であって、上部の係合部６１と下部の取付部６２とを備えている。係合部６１は、本体部６３とこの本体部６３の上端部に幅が拡大されて形成された拡大部６４とを備えている。本体部６３の幅は、落下防止レール５１の開口部５６の幅よりも少し狭く設定され、拡大部６４の幅は、開口部５６の幅よりも大きくかつ切欠部５７の幅よりも少し狭く設定されている。係合部６１には、ナイロンコーティング等の樹脂コーティングが施されており、これにより落下防止レール５１に当たったときでもすべり易く傷がつかない。各係合部材５２の取付部６２が、網戸５の各縦桟１３の側部の上端部にねじ６５、６５により固定されており、各係合部６１は各縦枠１３の上端（したがって網戸枠１４の上端）から上方に突出している。両係合部６１、６１間の間隔は、落下防止レール５１の両切欠部５７、５７間の間隔と同じに設定されている。各係合部６１は各切欠部５７からレール部５４内に挿入され、本体部６３の中間部が開口部５６に位置しているとともに、拡大部６４がレール部５４内に位置している。障子５が水平移動するに伴って、各係合部６１はレール部５４の開口部５６に沿って移動する。
【００１６】
網戸５を枠体４に取り付けるには、まず、図９（ａ）に示すように、網戸５の各係合部材５２、５２を落下防止レール５１の各切欠部５７、５７の位置に合わせた後、網戸５を持ち上げて、各係合部材５２、５２の各拡大部６４、６４をこの各切欠部５７、５７を通してレール部５４内に挿入する。このとき、網戸５は、枠体４に左右方向の略中央部に位置する。
次いで、図９（ｂ）に示すように、さらに網戸５を持ち上げて、上桟１１の溝部１６を上枠１の上レール４１の下端部に嵌め込んだ後、図９（ｃ）に示すように、網戸５を降ろして、下桟１２の戸車１７を下枠２の下レール４５に載せる。その後、網戸５を左側または右側に移動させる。
【００１７】
一方、網戸５を枠体４から取り外すには、網戸５を移動させて、網戸５の各係合部材５２、５２を落下防止レール５１の各切欠部５７、５７位置に合わせた後、網戸５を少し持ち上げて、下桟１２の戸車１７を下枠２の下レール４５から外し、その後網戸５を降ろして行き、上桟１１の溝部１６を上枠１の上レール４１の下端部から外し、さらに各係合部材５２、５２の各拡大部６４、６４をこの各切欠部５７、５７を通してレール部５４内から抜き出す。
【００１８】
このように構成された引き違いサッシにあっては、網戸５が枠体４から完全に外れても、係合部材５２の拡大部６４がレール部５４の下壁に係合し、レール部５４に網戸５が吊り下がるので、網戸５が落下しない。また、ねじなどの着脱をせずに、網戸５を簡単に取り付け、取り外すことができる。
【図面の簡単な説明】
【００１９】
【図１】この発明の実施の形態に係る引き違いサッシを示す図であって、縦断面図である。
【図２】同、横断面図である。
【図３】落下防止レールが取り付けられている部分を示す図であって、縦断面図である。
【図４】同、正面図である。
【図５】落下防止レールの底面図である。
【図６】網戸の上端部を示す正面図である。
【図７】係合部材が取り付けられている部分を示す図であって、正面図である。
【図８】同、側面図である。
【図９】網戸を枠体に取り付ける手順を示す縦断面図である。
【図１０】従来の引き違いサッシの外れ止めの構造を示す縦断面図である。
【図１１】網戸が枠体から外れる場合の例を示す縦断面図である。
【図１２】網戸が枠体から外れる場合の他の例を示す縦断面図である。
【符号の説明】
【００２０】
１    上枠
２    下枠
３    縦枠
４    枠体
５    網戸
１４    網戸枠
１５    網
５１    落下防止レール
５２    係合部材
５６    開口部
５７    切欠部
６１    係合部
６３    本体部
６４    拡大部
【図１】
2005213901.tif 000003
【図２】
2005213901.tif 000004
【図３】
2005213901.tif 000005
【図４】
2005213901.tif 000006
【図５】
2005213901.tif 000007
【図６】
2005213901.tif 000008
【図７】
2005213901.tif 000009
【図８】
2005213901.tif 000010
【図９】
2005213901.tif 000011
【図１０】
2005213901.tif 000012
【図１１】
2005213901.tif 000013
【図１２】
2005213901.tif 000014